(57)【要約】【課題】その時点の動作モードを近傍から容易に判断できるキャッシュレジスタシステムを提供する。【解決手段】ＰＯＳターミナルでは、商品のバーコードを読み取らせた場合は、その読み取りに応答して応答してスキャン音が出力される。また、ＰＯＳターミナルは、動作モードとして、ユーザ操作に基づいて取引実績データの内容を更新する「登録モード」と、ユーザ操作に係わらず取引実績データの内容を更新しない「練習モード」とを備えている。「登録モード」では通常スキャン音（ステップＳ１２）がスキャン音として設定され、「練習モード」では通常スキャン音とは出力態様が異なる練習スキャン音（ステップＳ１３）がスキャン音として設定される。したがって、近傍の聴者は、スキャン音に基づいてその時点のＰＯＳターミナル２の動作モードが「登録モード」と「練習モード」とのいずれであるかを容易に判断できる。【選択図】図４
2008097408.tif 000002
【特許請求の範囲】
【請求項１】
売買取引に用いるキャッシュレジスタシステムであって、
前記売買取引の内容を示す取引実績データを記憶する記憶手段と、
ユーザ操作に基づいて前記取引実績データの内容を更新する登録モードと、ユーザ操作に係わらず前記取引実績データの内容を更新しない非登録モードとを含む動作モードを切り替える切替手段と、
前記ユーザ操作に応答して操作音を出力する出力手段と、
前記登録モードと前記非登録モードとで、前記出力手段による前記操作音の出力態様を異ならせる制御手段と、
を備えることを特徴とするキャッシュレジスタシステム。
【請求項２】
請求項１に記載のキャッシュレジスタシステムにおいて、
商品に付随する商品情報を読み取る読取手段、
をさらに備え、
前記操作音は、前記読取手段に前記商品情報を読み取らせたことに応答した読取音を含むことを特徴とするキャッシュレジスタシステム。
【請求項３】
請求項１または２に記載のキャッシュレジスタシステムにおいて、
前記非登録モードにおいて前記制御手段は、連続した操作音同士で前記出力態様を異ならせることを特徴とするキャッシュレジスタシステム。
【請求項４】
請求項１または２に記載のキャッシュレジスタシステムにおいて、
前記非登録モードにおいて前記制御手段は、連続した複数回の操作音で所定のメロディを形成することを特徴とするキャッシュレジスタシステム。
【請求項５】
請求項１ないし４のいずれかに記載のキャッシュレジスタシステムにおいて、
前記操作音は、ビープ音であり、
前記出力態様は、音量、音の高さ、音の長さ及び音の数の少なくとも１つを含むことを特徴とするキャッシュレジスタシステム。
【請求項６】
請求項１または２に記載のキャッシュレジスタシステムにおいて、
前記制御手段は、
前記登録モードにおいて前記操作音としてビープ音を出力させ、
前記非登録モードにおいて前記操作音として言語音を出力させることを特徴とするキャッシュレジスタシステム。
【発明の詳細な説明】
【技術分野】
【０００１】
本発明は、売買取引に用いて、その売買取引の内容を示す取引実績データを記憶するキャッシュレジスタシステムに関する。
【背景技術】
【０００２】
スーパーマーケットやコンビニエンスストアなどの小売店舗の売買取引においては、ＰＯＳシステムなどとも呼ばれるキャッシュレジスタシステムが使用されている。キャッシュレジスタシステムでは、売買取引ごとに、顧客が購入対象とする商品の取引価格の演算や、その取引価格に基づいた売買取引の決済などの精算処理が行われる。
【０００３】
また、キャッシュレジスタシステムでは、このような精算処理において得られた各売買取引の内容（商品名、価格等）を示すデータが取引実績データとして記録される。この取引実績データにより、事後的にどのような内容の売買取引がなされたかを把握できるようになっている。
【０００４】
なお、本発明に関連する技術を開示する先行技術文献として、下記の文献がある。
【０００５】
【特許文献１】特公平７−４３７９１号公報
【発明の開示】
【発明が解決しようとする課題】
【０００６】
ところで、キャッシュレジスタシステムでは、その動作モードとして、通常の動作を行う登録モードの他に、練習用の練習モードを備えたものが知られている。練習モードは、キャッシュレジスタシステムの操作練習のための動作モードであり、商品の商品コードを読み取らせるなど、登録モードと同じ操作が可能である。ただし、練習モードにおいては、精算処理と同じ操作を行ったとしても、実際の売買取引に基づくものではないため、その操作により得られたデータによって取引実績データの内容が更新されることはない。
【０００７】
このような、取引実績データの内容が更新されないという練習モードの特徴を悪用して、店舗の営業時間中に動作モードを練習モードにし、取引実績データに記録されない売上金を窃取するという不正が、店舗の販売スタッフによりなされることがある。しかしながら、練習モードでは登録モードと同じ操作を行うことができることから、このような不正がなされているか否かを販売スタッフの操作からただちに判断することは困難であった。
【０００８】
本発明は、上記課題に鑑みてなされたものであり、その時点の動作モードを近傍から容易に判断できるキャッシュレジスタシステムを提供することを目的とする。
【課題を解決するための手段】
【０００９】
上記課題を解決するため、請求項１の発明は、売買取引に用いるキャッシュレジスタシステムであって、前記売買取引の内容を示す取引実績データを記憶する記憶手段と、ユーザ操作に基づいて前記取引実績データの内容を更新する登録モードと、ユーザ操作に係わらず前記取引実績データの内容を更新しない非登録モードとを含む動作モードを切り替える切替手段と、前記ユーザ操作に応答して操作音を出力する出力手段と、前記登録モードと前記非登録モードとで、前記出力手段による前記操作音の出力態様を異ならせる制御手段と、を備えている。
【００１０】
また、請求項２の発明は、請求項１に記載のキャッシュレジスタシステムにおいて、商品に付随する商品情報を読み取る読取手段、をさらに備え、前記操作音は、前記読取手段に前記商品情報を読み取らせたことに応答した読取音を含む。
【００１１】
また、請求項３の発明は、請求項１または２に記載のキャッシュレジスタシステムにおいて、前記非登録モードにおいて前記制御手段は、連続した操作音同士で前記出力態様を異ならせる。
【００１２】
また、請求項４の発明は、請求項１または２に記載のキャッシュレジスタシステムにおいて、前記非登録モードにおいて前記制御手段は、連続した複数回の操作音で所定のメロディを形成する。
【００１３】
また、請求項５の発明は、請求項１ないし４のいずれかに記載のキャッシュレジスタシステムにおいて、前記操作音は、ビープ音であり、前記出力態様は、音量、音の高さ、音の長さ及び音の数の少なくとも１つを含む。
【００１４】
また、請求項６の発明は、請求項１または２に記載のキャッシュレジスタシステムにおいて、前記制御手段は、前記登録モードにおいて前記操作音としてビープ音を出力させ、前記非登録モードにおいて前記操作音として言語音を出力させる。
【発明の効果】
【００１５】
請求項１ないし５の発明によれば、登録モードと非登録モードとで操作音の出力態様が異なるため、近傍の聴者が操作音に基づいてその時点の動作モードがいずれであるかを容易に判断できる。
【００１６】
また、特に請求項２の発明によれば、商品情報を読み取らせるごとに操作音が発生することから、比較的頻繁に操作音が生じるために聴者がいずれの動作モードであるかを容易に判断できる。
【００１７】
また、特に請求項３の発明によれば、非登録モードにおいてユーザ操作ごとに操作音の出力態様が変更されるため、聴者に登録モードとは異なる印象を強く与える。これにより、聴者は非登録モードであることを容易に判断できる。
【００１８】
また、特に請求項４の発明によれば、非登録モードにおいて連続した複数回の操作音で所定のメロディを形成するため、聴者に登録モードとは異なる印象を強く与える。これにより、聴者は非登録モードであることを容易に判断できる。
【００１９】
また、特に請求項５の発明によれば、操作音の出力態様の変更が容易である。
【００２０】
また、特に請求項６の発明によれば、非登録モードにおいて操作音として言語音が出力されるため、聴者に登録モードとは異なる印象を強く与える。これにより、聴者は非登録モードであることを容易に判断できる。
【発明を実施するための最良の形態】
【００２１】
以下、図面を参照しつつ、本発明の実施の形態について説明する。
【００２２】
＜１．第１の実施の形態＞
＜１−１．構成＞
図１は、第１の実施の形態に係るキャッシュレジスタシステムであるＰＯＳシステム１００の構成を示す図である。このＰＯＳシステム１００は、スーパーマーケットやコンビニエンスストアなどの店舗において採用されるものであり、ＰＯＳサーバ１と複数のＰＯＳターミナル２とを備えている。ＰＯＳサーバ１及びＰＯＳターミナル２はそれぞれＬＡＮ３に接続され、相互に通信可能とされている。
【００２３】
ＰＯＳサーバ１は、ＰＯＳシステム１００の全体を統括的に制御するものであり、通常は店舗の販売エリアとは別の管理事務所等に配置される。一方、ＰＯＳターミナル２は、店舗の販売エリアに配置され、商品の売買取引の際に、店舗の販売スタッフによって実際に操作される。具体的には、ＰＯＳターミナル２は、売買取引の決済に用いる取引価格の導出や、その売買取引の決済などを行う精算処理に用いられる。
【００２４】
図２は、ＰＯＳサーバ１の構成を機能ブロックにて示す図である。ＰＯＳサーバ１は、ハードウェアとしての構成は一般的なコンピュータと同様である。すなわち、ＰＯＳサーバ１は、演算処理を行うＣＰＵ１１と、基本プログラムを記憶するＲＯＭ１２と、演算処理の作業領域となるＲＡＭ１３と、各種データを記憶するハードディスク１４とをバスライン１０に接続した構成となっている。さらに、ＰＯＳサーバ１は、各種情報の表示を行うディスプレイ１５と、キーボード及びマウス等の入力部１６と、ＬＡＮ３を介して通信を行う通信部１７とを備え、これらはそれぞれバスライン１０に接続される。
【００２５】
ハードディスク１４には処理プログラムが記憶されており、ＣＰＵ１１がこの処理プログラムに従って演算処理を行うことで、ＰＯＳサーバ１としての各種機能が実現される。また、ハードディスク１４には、さらに、各商品の情報を示す商品マスタ４１や、各売買取引の内容を示す取引実績データ４２などが記憶される。
【００２６】
商品マスタ４１は、当該店舗で扱われる各商品についての種々の情報を示すテーブル形式のデータである。この商品マスタ４１は、ＰＯＳターミナル２が精算処理において、商品の「商品名」や「価格」を取得するために利用される。商品マスタ４１には、複数のレコードが含まれており、各レコードでは商品を識別する識別コードである「商品コード」に対して、「商品名」及び「価格」などの情報が関連付けられている。
【００２７】
また、取引実績データ４２は、過去の売買取引の具体的な内容を示すデータである。取引実績データ４２には、各売買取引に関する「取引時刻」並びに取引対象となった商品の「商品名」及び「価格」などのデータが登録されている。各売買取引のデータは、精算処理の際にＰＯＳターミナル２により取得され、ＰＯＳサーバ１に送信されて取引実績データ４２に登録される。
【００２８】
図３は、ＰＯＳターミナル２の構成を機能ブロックにて示す図である。ＰＯＳターミナル２は、装置全体を制御する制御部２１と、各種情報の表示を行う２つのディスプレイ２２，２３と、ユーザの操作や入力を受け付ける各種のボタンを有する入力部２４と、バーコードを読み取るバーコードリーダ２５と、レシートを印刷して発行する印刷発行部２６と、ＬＡＮ３を介して通信を行う通信部２７と、ユーザの操作に応答して操作音を出力するスピーカ２９とを備えて構成され、これらはそれぞれバスライン２０に接続される。
【００２９】
制御部２１は、各種演算処理を行うＣＰＵ２０１と、制御用プログラム等を記憶するＲＯＭ２０２と、演算処理の作業領域となるＲＡＭ２０３と、各種データを記憶する不揮発性メモリであるバッテリーバックアップされたＳＲＡＭ２０４と、取引時刻等の時刻を計時するタイマ２０５とを備えている。装置各部の制御機能や精算処理のためのデータ処理機能は、ＣＰＵ２０１がＲＯＭ２０２内の制御用プログラムに従って演算処理を行なうことで実現される。
【００３０】
２つのディスプレイ２２，２３のうち、一方のディスプレイ２２は、操作を行うユーザたる販売スタッフの側に示すべき情報を表示する販売側ディスプレイ２２であり、他方のディスプレイ２３は、顧客の側に示すべき情報を表示する顧客側ディスプレイ２３である。販売側ディスプレイ２２の画面は、タッチパネル機能を有するドットマトリクス式の液晶で構成されており、文字、図形及び画像などの各種の情報をカラー表示するとともに、ユーザの操作を受け付けることが可能となっている。一方、顧客側ディスプレイ２３の画面は、比較的簡易なＶＦＤ（蛍光表示管）で構成されており、２行の文字列の単色表示のみが可能となっている。この顧客側ディスプレイ２３の画面は、精算処理において顧客が視認しやすいように、その向きが調整される。
【００３１】
また、入力部２４には、精算処理において小計処理を指示する小計キーやテンキーなどの各種のボタンとともに、ＰＯＳターミナル２の動作モードを切り替えるモード切替スイッチが含まれている。ＰＯＳターミナル２は、その動作モードとして、精算処理などの通常の動作を行う「登録モード」と、操作の練習のための「練習モード」とを備えている。モード切替スイッチの操作により、このような動作モードを切り替えることが可能となっている。
【００３２】
「登録モード」では、精算処理において得られたデータがＰＯＳサーバ１に送信され、取引実績データ４２の内容に反映される。これに対して、「練習モード」では、登録モードと同じ操作を行うことが可能であるが、精算処理と同じ操作を行ったとしても、それによって得られたデータはＰＯＳサーバ１に送信されず、取引実績データ４２の内容に反映されない。つまり、「登録モード」はユーザ操作に基づいて取引実績データ４２の内容を更新する動作モードであるといえ、「練習モード」はユーザ操作に係わらず取引実績データ４２の内容を更新しない動作モード（非登録モード）であるといえる。
【００３３】
バーコードリーダ２５は、例えば、手持ちが可能な可搬性リーダで構成される。バーコードリーダ２５は、印刷やラベルなどで商品に付された商品コードを示すバーコードを読み取って、当該商品の商品コードを取得する。バーコードリーダ２５が商品のバーコードを正常に読み取った場合は、これに応答して制御部２１の制御によりスピーカ２９からスキャン音（読取音）が出力される。スキャン音は、例えば「ピッ」というビープ音とされている。このスキャン音により、バーコードリーダ２５に商品のバーコードを読み取らせた販売スタッフは、商品のバーコードの読み取りが正常になされたことを認識できるようになっている。
【００３４】
＜１−２．スキャン音の設定＞
ＰＯＳターミナル２では、動作モードによって異なるスキャン音が出力されるようになっている。このため、起動時、及び、モード切替スイッチの操作による動作モードの変更時には、出力すべきスキャン音を設定する音設定処理が制御部２１によりなされる。
【００３５】
図４は、音設定処理の流れを示す図である。まず、その時点の動作モードが確認される（ステップＳ１１）。そして、動作モードが「登録モード」であれば、以降の処理で出力すべきスキャン音として通常のスキャン音（以下、「通常スキャン音」という。）が設定される（ステップＳ１２）。一方、動作モードが「練習モード」であれば、以降の処理で出力すべきスキャン音として、通常スキャン音とは異なる練習用のスキャン音（以下、「練習スキャン音」という。）が設定される（ステップＳ１３）。
【００３６】
以降、ＰＯＳターミナル２では、「登録モード」において通常スキャン音、「練習モード」において練習スキャン音がそれぞれ出力される。通常スキャン音と練習スキャン音とは、「音量」、「音の高さ」、「音の長さ」及び「音の数」のうちの少なくとも一つが異なっている。このため、「登録モード」と「練習モード」とで、スキャン音の出力態様が変更されることになる。通常スキャン音と練習スキャン音との区別が容易にできるように、好ましくは、通常スキャン音と練習スキャン音とで「音量」、「音の高さ」、「音の長さ」及び「音の数」のうちの二つ以上が異なることが望ましい。
【００３７】
「音量」を異ならせる具体例としては、例えば、通常スキャン音の音量よりも、練習スキャン音の音量を大きくすることなどが挙げられる。また、「音の高さ」を異ならせる具体例としては、例えば、通常スキャン音を８８０Ｈｚの音（「ラ」の音）とし、練習スキャン音を例えばそれよりも低い５２３Ｈｚの音（「ド」の音）とすることなどが挙げられる。「音の高さ」が異なることは、「音の周波数」が異なることであるとも表現できる。
【００３８】
また、「音の長さ」を異ならせる具体例としては、例えば、通常スキャン音を「ピッ」という０．１秒の長さとし、練習スキャン音を「ピー」という０．５秒の長さとすることなどが挙げられる。さらに、「音の数」を異ならせる具体例としては、例えば、通常スキャン音を「ピッ」という１音とし、練習スキャン音を「ピピッ」という２音とすることなどが挙げられる。
【００３９】
＜１−３．登録モードにおける動作＞
次に、ＰＯＳターミナル２の「登録モード」における精算処理の流れについて具体的に説明する。図５は、精算処理の流れを示す図である。この図５に示す一連の処理は、一の売買取引ごと（一の顧客が購入を希望する商品群ごと）になされる処理である。
【００４０】
まず、ＰＯＳターミナル２は、商品のバーコードのバーコードリーダ２５による読み取りを待機する状態となる。この状態において販売スタッフは、顧客が購入を希望する商品群のうちの一の商品に付されたバーコードを、バーコードリーダ２５に読み取らせる操作を行う（ステップＳ２１）。
【００４１】
この操作によってバーコードの読み取りが正常になされると、当該バーコードが示す当該商品の商品コードがＰＯＳターミナル２に取得される。また、これに応答して制御部２１の制御によりスピーカ２９からスキャン音が出力される。この場合は「登録モード」であるため、このスキャン音は通常スキャン音となる（ステップＳ２２）。
【００４２】
次に、取得された商品コードが、ＰＯＳターミナル２からＰＯＳサーバ１に送信される。ＰＯＳサーバ１では、これに応答して商品マスタ４１のうちから当該商品コードを含むレコードが検索され、該当したレコードの内容がＰＯＳターミナル２に返信される。これにより、当該商品の「商品名」及び「価格」などの商品データがＰＯＳターミナル２に取得される（ステップＳ２３）。
【００４３】
続いて、次の商品に係るバーコードの読み取りがなされると（ステップＳ２４にてＹｅｓ）、上記と同様にして、通常スキャン音が出力され（ステップＳ２２）、当該商品の商品データが取得される（ステップＳ２３）。このような処理が、顧客が購入を希望する全商品に関して同様に繰り返される。したがって、商品のバーコードの読み取りごとに、通常スキャン音が出力されるとともに、その商品の商品データが取得される。全商品のバーコードの読み取りがなされると、それら全商品の商品データがＰＯＳターミナル２に取得されることになる。
【００４４】
全商品のバーコードの読み取りが完了すると、販売スタッフにより入力部２４に含まれる小計キーが押下される。小計キーが押下されると（ステップＳ２５にてＹｅｓ）、取得された全ての商品についての「価格」を合計した合計商品価格がＣＰＵ２０１により導出される。導出された合計商品価格は、顧客が支払うべき金額である取引価格として、販売側ディスプレイ２２及び顧客側ディスプレイ２３に表示される（ステップＳ２６）。
【００４５】
次に、その取引価格に基づいて決済処理がなされる。すなわち、顧客から受け渡された決済用の現金等の金額が預り金額として入力部２４を介して入力され、預り金額から取引価格が差し引かれた結果が釣銭金額として導出され、その釣銭金額がディスプレイ２２，２３に表示される。これにより、この売買取引の決済処理が完了する（ステップＳ２７）。
【００４６】
次に、この売買取引の内容を示すレシートが印刷発行部２６により発行される（ステップＳ２８）。さらに、以上の処理によって得られた売買取引の内容（取引時刻、商品名、価格、取引価格、釣銭金額等）を示すデータがＰＯＳサーバ１に送信される。このデータの受信に応答して、ＰＯＳサーバ１では、受信されたデータが取引実績データ４２の内容の一部として記録され、取引実績データ４２の内容が更新される（ステップＳ２９）。これにより一連の精算処理が終了することになる。
【００４７】
＜１−４．練習モードにおける動作＞
次に、ＰＯＳターミナル２の「練習モード」における動作について説明する。「練習モード」においても、売買取引を擬似的に想定し、上記の「登録モード」と同様の操作を行って、精算処理とほぼ同様の処理をＰＯＳターミナル２に行わせることが可能である。この「練習モード」における精算処理に似せた擬似的な処理を、以下「疑似精算処理」という。図６は、疑似精算処理の流れを示す図である。
【００４８】
まず、ＰＯＳターミナル２は、商品のバーコードの読み取りを待機する状態となる（ステップＳ３１）。この状態において、販売スタッフが一の商品に付されたバーコードをバーコードリーダ２５に読み取らせる操作を行うと、当該商品の商品コードがＰＯＳターミナル２に取得される。
【００４９】
また、この読み取りに応答して制御部２１の制御によりスピーカ２９からスキャン音が出力される。この場合は「練習モード」であるため、このスキャン音は練習スキャン音となる（ステップＳ３２）。次に、取得された商品コードに基づいて、商品データがＰＯＳサーバ１から取得される（ステップＳ３３）。
【００５０】
続いて、次の商品に係るバーコードの読み取りがなされると（ステップＳ３４にてＹｅｓ）、上記と同様にして、練習スキャン音が出力され（ステップＳ３２）、当該商品の商品データが取得される（ステップＳ３３）。以降は、商品のバーコードの読み取りごとに、練習スキャン音が出力されるとともに、その商品の商品データが取得される。
【００５１】
このように商品のバーコードの読み取りごとに、通常スキャン音とは異なる練習スキャン音が出力されることから、頻繁に練習スキャン音が出力されることになる。このため、近傍の聴者は、そのスキャン音に基づいてその時点のＰＯＳターミナル２の動作モードが、通常の「登録モード」とは異なる動作モード（すなわち、「練習モード」）であることを容易に認識することが可能である。
【００５２】
商品のバーコードの読み取り後、小計キーが押下されると（ステップＳ３５にてＹｅｓ）、合計商品価格がＣＰＵ２０１により導出され、その合計商品価格が販売側ディスプレイ２２及び顧客側ディスプレイ２３に表示される（ステップＳ３６）。次に、合計商品価格に基づいて擬似的な決済処理がなされる。すなわち、入力部２４を介して仮の預り金額が入力され、その仮の預り金額から合計商品価格が差し引かれた結果が釣銭金額として導出され、その釣銭金額がディスプレイ２２，２３に表示される（ステップＳ３７）。
【００５３】
次に、この擬似的な売買取引の内容を示すレシートが印刷発行部２６により発行される（ステップＳ３８）。これにより一連の疑似精算処理が終了することになる。このような「練習モード」の疑似精算処理はあくまで擬似的な売買取引を想定したものであるため、処理によって得られたデータはＰＯＳサーバ１に送信されない。したがって、取引実績データ４２の内容が更新されることはない。
【００５４】
以上説明したように、ＰＯＳターミナル２は、動作モードとして、ユーザ操作に基づいて取引実績データの内容を更新する「登録モード」と、ユーザ操作に係わらず取引実績データの内容を更新しない「練習モード」とを備えている。そして、「登録モード」と「練習モード」とでは、商品のバーコードを読み取らせたことに応答して出力されるスキャン音の出力態様が異なっている。したがって、近傍の聴者は、スキャン音に基づいてその時点のＰＯＳターミナル２の動作モードが「登録モード」と「練習モード」とのいずれであるかを容易に判断できる。このため、店舗の営業時間中に、ある店舗スタッフが動作モードを「練習モード」にした場合は、その旨を近傍にいる他の店舗スタッフ等がただちに認識できる。その結果、取引実績データ４２の内容が更新されないという「練習モード」の特徴を悪用した不正を効果的に防止できる。
【００５５】
＜２．第２の実施の形態＞
次に、第２の実施の形態について説明する。第２の実施の形態のＰＯＳシステム１００の構成、及び、「登録モード」における精算処理の流れは第１の実施の形態と同一であり、「登録モード」ではバーコードの読み取りに応答して通常スキャン音が出力される。しかしながら、第２の実施の形態のＰＯＳシステム１００の「練習モード」における疑似精算処理の流れは、第１の実施の形態と異なっている。「練習モード」の疑似精算処理において、第１の実施の形態では所定の練習スキャン音が出力されていたが、第２の実施の形態ではスキャン音の出力のたびにその「音の高さ」が変更され、連続した複数回のスキャン音で所定のメロディが形成されるようになっている。
【００５６】
このため、ＰＯＳターミナル２のＳＲＡＭ２０４には、メロディの情報を示すメロディデータが記憶されている。メロディデータには、メロディ（すなわち、高さが変化する連続した音の連なり）を形成する複数の音の順番と、その音の高さとが示されている。例えば、形成すべきメロディがイタリア音名で「ド・レ・ミ・ファ・ミ・レ・ド」というものであれば、「ド」「レ」「ミ」「ファ」「ミ」「レ」「ド」にそれぞれ対応する７つの音の高さが、この順でメロディデータに記載されている。
【００５７】
図７は、第２の実施の形態における「練習モード」の疑似精算処理の流れを示す図である。まず、ＳＲＡＭ２０４からメロディデータが読み出され、メロディを構成する複数の音の順番と、それぞれの音の高さとが制御部２１に認識される（ステップＳ４１）。
【００５８】
次に、ＰＯＳターミナル２は、商品のバーコードの読み取りを待機する状態となる（ステップＳ４２）。この状態において、販売スタッフが一の商品に付されたバーコードをバーコードリーダ２５に読み取らせる操作を行うと、当該商品の商品コードがＰＯＳターミナル２に取得される。
【００５９】
また、この読み取りに応答して制御部２１の制御によりスピーカ２９からスキャン音が出力される。この際、メロディデータが示す複数の音のうちの、最初の一音がスキャン音として出力される（ステップＳ４３）。例えば上記例のように形成すべきメロディが「ド・レ・ミ・ファ・ミ・レ・ド」であれば、最初の「ド」がスキャン音として出力される。次に、取得された商品コードに基づいて、商品データがＰＯＳサーバ１から取得される（ステップＳ４４）。
【００６０】
続いて、次の商品に係るバーコードの読み取りがなされると（ステップＳ４５にてＹｅｓ）、制御部２１の制御により、メロディデータが示す複数の音のうち、前回出力された音に続く次の一音がスキャン音として出力される。例えば上記例のように形成すべきメロディが「ド・レ・ミ・ファ・ミ・レ・ド」であれば、最初の「ド」の次の「レ」がスキャン音として出力される（ステップＳ４６）。続いて、当該商品の商品データが取得される（ステップＳ４４）。
【００６１】
以降は、商品のバーコードの読み取りごとに、メロディデータが示す複数の音のうち直近に出力された音に続く次の一音がスキャン音として出力される（ステップＳ４６）。したがって、複数の商品のバーコードを読み取れば、メロディデータが示す複数の音が順次に出力されていき、これら連続した複数回のスキャン音が所定のメロディを形成することになる。なお、直近に出力されたスキャン音がメロディデータが示す最後の音である場合は、次のスキャン音としてメロディデータが示す最初の音を出力すればよい。これにより、所定のメロディが繰り返されることになる。
【００６２】
商品のバーコードの読み取り後に、小計キーが押下されると（ステップＳ４７にてＹｅｓ）、以降は第１の実施の形態と同様の処理（図５のステップＳ３６以降の処理）が行われる。
【００６３】
このように第２の実施の形態のＰＯＳターミナル２では、「練習モード」の疑似精算処理において、連続したスキャン音同士で音の高さを異ならせ、連続した複数回の操作音で所定のメロディを形成するようになっている。このようなメロディは耳に残ることから、「練習モード」におけるスキャン音は、「登録モード」における通常スキャン音とは異なるという印象を聴者に強く与えることになる。その結果、聴者はスキャン音に基づいてその時点のＰＯＳターミナル２の動作モードが「登録モード」と「練習モード」とのいずれであるかをさらに容易に判断できることになる。
【００６４】
なお、メロディを形成する一部の音が、「登録モード」の通常スキャン音と同一になる場面が生じても、メロディを形成する他の音が通常スキャン音と異なるとともに、メロディの印象が強いため、効果が低減することはない。
【００６５】
また、この第２の実施の形態では、スキャン音でメロディを形成するようにしているが、メロディを形成せずに連続したスキャン音同士で「音の高さ」を異ならせただけの場合でも、聴者に大きな違和感を与える。このため、この場合でも、通常スキャン音とは異なるという印象を聴者に強く与えることができ、聴者が動作モードを容易に判断できることになる。また、連続したスキャン音同士で「音量」、「音の長さ」及び「音の数」などの他の出力態様を異ならせてもよい。
【００６６】
＜３．他の実施の形態＞
以上、本発明の実施の形態について説明してきたが、この発明は上記実施の形態に限定されるものではなく様々な変形が可能である。以下では、このような他の実施の形態について説明する。もちろん、以下で説明する形態を適宜に組み合わせてもよい。
【００６７】
上記実施の形態では、スキャン音は出力態様の変更が容易なビープ音であるとして説明したが、「登録モード」ではビープ音のスキャン音を出力する一方で、「練習モード」ではビープ音でなく人間が認識可能な言語で構成される言語音をスキャン音として出力するようにしてもよい。例えば、「練習モード」において、「レンシュウチュウ（練習中）」という言語音をスキャン音として出力することなどが考えられる。このような場合でも、「練習モード」と「登録モード」とでスキャン音の出力態様が異なると言える。
【００６８】
また、上記実施の形態では、「登録モード」と「練習モード」とでスキャン音の出力態様を異ならせるものとして説明を行ったが、スキャン音以外の操作音の出力態様も異ならせてもよい。例えば、入力部２４に含まれるボタンを押下に応答したボタン音や、タッチパネルとしての販売側ディスプレイ２２の画面に触れたことに応答したクリック音などを、「登録モード」と「練習モード」とで変更してもよい。
【００６９】
また、ユーザ操作に係わらず取引実績データ４２の内容を更新しない非登録モードとして「練習モード」のみを説明したが、もちろんこのような非登録モードとして他の動作モードが存在してもよい。非登録モードとしては、例えば、商品のバーコードの読み取りに応答して「価格」などの商品データを単に表示するだけの動作モードである「価格参照モード」などが考えられる。
【００７０】
また、上記実施の形態では、ＰＯＳターミナル２は可搬性のバーコードリーダ２５を備えるものとして説明を行ったが、図８に示すように、ＰＯＳターミナル２とは別の装置としてバーコードを読み取るスキャナ装置５が設けられてもよい。このスキャナ装置５は、操作パネル５１と、バーコードリーダ５２と、スピーカ５３とを備えており、バーコードリーダ５２によるバーコードの読み取りに応答してスピーカ５３からスキャン音を出力する。また、スキャナ装置５は、ＰＯＳターミナル２と電気的に接続され、バーコードを読み取って得られた商品コードはＰＯＳターミナル２に送信されるとともに、その動作はＰＯＳターミナル２の制御部２１により制御される。この場合は、ＰＯＳターミナル２の動作モードを切り替えると、ＰＯＳターミナル２の制御部２１の制御によって、スキャナ装置５から出力されるスキャン音の出力態様が変更されることになる。
【００７１】
また、上記実施の形態では、キャッシュレジスタシステムはＰＯＳサーバ１及び複数のＰＯＳターミナル２を備えたＰＯＳシステム１００であるとして説明を行ったが、キャッシュレジスタシステムが単体の装置として構成されていても、上記で説明した技術を好適に適用可能である。
【００７２】
また、上記実施の形態では、商品のバーコードを読み取った場合にスキャン音を出力するものとして説明を行ったが、商品に付随するＱＲコード等の二次元バーコードや、商品に付随するＲＦＩＤ等の記録媒体に記録された情報を読み取って、商品コードなどの商品情報を正常に取得した場合に読取音を出力するものであってもよい。
【００７３】
また、上記第２の実施の形態では、「練習モード」において連続した複数回のスキャン音で所定のメロディを形成していたが、一回に出力されるスキャン音がメロディとなっていてもよい。このような場合でも、「練習モード」と「登録モード」とでスキャン音の出力態様が異なると言える。
【００７４】
また、上記実施の形態では、動作モードの切り替えに制限はなかったが、制御部２１の制御などにより、動作モードの切り替え自体に制限をおこなってもよい。例えば、タイマ２０５から得られる時刻に基づいて所定の営業時間中には動作モードを「練習モード」に変更できないようにしたり、動作モードを「練習モード」にするために所定のパスワードの入力を必要とするようにしてもよい。これによれば、動作モードを「練習モード（非登録モード）」にすること自体が困難となるため、不正を有効に防止できる。
【００７５】
また、ＰＯＳターミナル２においてユーザの全ての操作を制御部２１により監視し、ユーザの全ての操作の内容を示す操作ログをＳＲＡＭ２０４や、ＰＯＳサーバ１のハードディスク１４などに記録するようにしてもよい。これによれば、営業時間中に動作モードを「練習モード」に変更したことなどを事後的に把握できるため、過去に不正があったことを特定することが可能である。
【図面の簡単な説明】
【００７６】
【図１】ＰＯＳシステムの構成を示す図である。
【図２】ＰＯＳサーバの構成を機能ブロックにて示す図である。
【図３】ＰＯＳターミナルの構成を機能ブロックにて示す図である。
【図４】音設定処理の流れを示す図である。
【図５】精算処理の流れを示す図である。
【図６】第１の実施の形態における疑似精算処理の流れを示す図である。
【図７】第２の実施の形態における疑似精算処理の流れを示す図である。
【図８】ＰＯＳターミナル２とスキャナ装置５とを示す図である。
【符号の説明】
【００７７】
１      ＰＯＳサーバ
２      ＰＯＳターミナル
１４      ハードディスク
２１      制御部
２４      入力部
２５      バーコードリーダ
２９      スピーカ
４２      取引実績データ
【図１】
2008097408.tif 000003
【図２】
2008097408.tif 000004
【図３】
2008097408.tif 000005
【図４】
2008097408.tif 000006
【図５】
2008097408.tif 000007
【図６】
2008097408.tif 000008
【図７】
2008097408.tif 000009
【図８】
2008097408.tif 000010